(57)【要約】【課題】本発明は、原稿の意図する領域のみを正確にかつ容易に読み取る。【解決手段】画像形成装置１は、原稿台１１の載置面１１ａ上に、その読み取り面が載置面１１ａ側に向いて載置されている原稿Ｇの該読み取り面に、透過光源２０から透過光を照射し、原稿Ｇの読み取りユニット１３による読み取り範囲を、読み取り位置線Ａ３、Ａ４によって、原稿台１１の該原稿Ｇの載置範囲内と載置範囲外の双方に明示して、透過光源２０によって該原稿Ｇの読み取り面とは反対面に投影される該読み取り面の画像に基づいて読み取りユニット１３に読み取らせる読み取り対象領域を、調整可能して、原稿Ｇの読み取りの開始が操作部で指示操作されると、搬送ローラ１４ａ、１４ｂ、１５ａ、１５ｂによって、原稿台１１上の原稿Ｇを読み取りユニット１３へ搬送する。【選択図】          図１
2013126126.tif 000002
【特許請求の範囲】
【請求項１】
原稿が、その読み取り面が下を向いた状態で載置される載置面を有する原稿台と、
前記原稿台の前記載置面に対向する前記原稿の前記読み取り面に透過光を照射する透過光源と、
前記原稿の前記読み取り面の画像を読み取る画像読み取り手段と、
前記原稿の前記画像読み取り手段による読み取り範囲を、前記原稿台の該原稿の載置範囲内と載置範囲外のうち少なくともいずれかにおいて明示して、前記透過光が該原稿に照射されて該原稿の前記読み取り面とは反対面に投影される該読み取り面の画像に基づいて該画像読み取り手段に読み取らせる読み取り対象領域を、調整可能とする読み取り範囲明示手段と、
少なくとも前記原稿台上に載置されている前記原稿の読み取りの開始が指示操作される操作手段と、
前記操作手段で読み取り開始の指示操作が行われると、前記原稿台上の前記原稿を前記画像読み取り手段へ搬送する搬送手段と、
を備えていることを特徴とする画像読み取り装置。
【請求項２】
前記読み取り範囲明示手段は、
少なくとも前記画像読み取り手段による前記原稿の主走査方向における読み取り範囲を明示することを特徴とする請求項１記載の画像読み取り装置。
【請求項３】
前記画像読み取り装置は、
前記搬送手段によって前記読み取り手段へ搬送される前記原稿を検出する原稿検出手段と、
前記原稿検出手段による前記原稿の先端の検出結果に基づいて、少なくとも前記画像読み取り手段が該原稿の画像の読み取りを開始する前に、前記透過光源を消灯させる光源制御手段と、
を備えていることを特徴とする請求項１または請求項２記載の画像読み取り装置。
【請求項４】
前記原稿台は、
前記透過光源を収納する凹部が前記載置面に形成されており、該凹部の該載置面への開口部が、開口状態、または、該載置面と上面が一致する所定の透明部材で覆われていることを特徴とする請求項１から請求項３のいずれかに記載の画像読み取り装置。
【請求項５】
前記搬送手段は、
前記操作手段で前記読み取り開始の指示操作が行われるまで、前記原稿台上の前記原稿を位置調整可能な状態とし、該指示操作が行われると、該原稿を面方向で挟み込んで該原稿の搬送を開始することを特徴とする請求項1から請求項４のいずれかに記載の画像読み取り装置。
【請求項６】
画像読み取り手段で読み取った原稿の画像を画像形成手段で被記録媒体に画像を形成する画像形成装置において、
前記画像読み取り手段として、請求項１から請求項３のいずれかに記載の画像読み取り装置を搭載していることを特徴とする画像形成装置。
【請求項７】
原稿が、その読み取り面が下を向いた状態で原稿台の載置面上に載置される原稿載置処理ステップと、
前記原稿台の前記載置面に対向する前記原稿の前記読み取り面に透過光源から透過光を照射する透過光照射処理ステップと、
前記原稿の前記読み取り面の画像を画像読み取り手段で読み取る画像読み取り処理ステップと、
前記原稿の前記画像読み取り処理ステップでの読み取り範囲を、前記原稿台の該原稿の載置範囲内と載置範囲外のうち少なくともいずれかにおいて読み取り範囲明示手段で明示して、前記透過光が該原稿に照射されて該原稿の前記読み取り面とは反対面に投影される該読み取り面の画像に基づいて該画像読み取り処理ステップで読み取らせる読み取り対象領域を、調整可能とする読み取り範囲明示処理ステップと、
前記原稿台上に載置されている前記原稿の読み取りの開始が指示操作される操作処理ステップと、
前記操作処理ステップで読み取り開始の指示操作が行われると、前記原稿台上の前記原稿を前記画像読み取り手段へ搬送する搬送処理ステップと、
を有していることを特徴とする画像読み取り方法。
【発明の詳細な説明】
【技術分野】
【０００１】
本発明は、画像読み取り装置、画像形成装置及び画像読み取り方法に関し、詳細には、原稿の意図する領域のみを正確にかつ容易に読み取る画像読み取り装置、画像形成装置及び画像読み取り方法に関する。
【背景技術】
【０００２】
スキャナ装置、ファクシミリ装置、複写装置、複合装置等の画像読み取り装置及び画像読み取り装置を備えた画像形成装置においては、原稿の画像を読み取る場合、原稿の一部分の画像のみを読み取りたい場合や原稿の左右端の一部分のみを外して読み取りたい場合等がある。
【０００３】
ところが、画像読み取り装置においては、原稿の読み取り面を原稿台に対向させる状態で原稿を原稿台にセットする構成となっているため、原稿台のどの位置に読み取らせたい画像が配置されているかを確認することができず、原稿台に対して原稿の読み取らせたい位置を正確に配置して原稿を原稿台にセットすることが困難であった。
【０００４】
そこで、従来から原稿台にセットした原稿を画像読み取り装置に一旦読み取らせて、該読み取られた画像を参照して、原稿台上の原稿位置を調整することが行われている（特許文献１等参照）。
【発明の概要】
【発明が解決しようとする課題】
【０００５】
しかしながら、上記従来技術にあっては、原稿台にセットした原稿を画像読み取り装置に一旦読み取らせて、該読み取られた画像を参照して、原稿台上の原稿位置を調整しているため、前読み取りと原稿位置調整後の読み取りとで少なくとも２回読み取りを行わせる必要があり、手間がかかるとともに処理時間がかかり、利用性及び作業効率が悪いという問題があった。また、前読み取りを操作表示部のディスプレイに表示させて位置調整する場合には、ディスプレイの画像解像度が粗い場合には、正確な位置調整を行なうことができず、作業性がさらに悪化し、ディスプレイの解像度を高くすると、画像処理装置の価格が高くなるという問題があった。
【０００６】
そこで、本発明は、原稿の読み取り領域を容易に設定して、意図する画像領域を読み取ることを目的としている。
【課題を解決するための手段】
【０００７】
上記目的を達成するために、請求項１記載の画像読み取り装置は、原稿が、その読み取り面が下を向いた状態で載置される載置面を有する原稿台と、前記原稿台の前記載置面に対向する前記原稿の前記読み取り面に透過光を照射する透過光源と、前記原稿の前記読み取り面の画像を読み取る画像読み取り手段と、前記原稿の前記画像読み取り手段による読み取り範囲を、前記原稿台の該原稿の載置範囲内と載置範囲外のうち少なくともいずれかにおいて明示して、前記透過光が該原稿に照射されて該原稿の前記読み取り面とは反対面に投影される該読み取り面の画像に基づいて該画像読み取り手段に読み取らせる読み取り対象領域を、調整可能とする読み取り範囲明示手段と、少なくとも前記原稿台上に載置されている前記原稿の読み取りの開始が指示操作される操作手段と、前記操作手段で読み取り開始の指示操作が行われると、前記原稿台上の前記原稿を前記画像読み取り手段へ搬送する搬送手段と、を備えていることを特徴としている。
【発明の効果】
【０００８】
本発明によれば、原稿の読み取り領域を容易に設定して、意図する画像領域を読み取ることができる。
【図面の簡単な説明】
【０００９】
【図１】本発明の一実施例を適用した画像形成装置の正面概略構成図。
【図２】原稿台及び圧板の概略平面図。
【図３】画像形成装置の要部概略正面図。
【図４】画像読み取り処理を示すフローチャート。
【図５】読み取り原稿の一例を示す図。
【発明を実施するための形態】
【００１０】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１１】
図１〜図５は、本発明の画像読み取り装置、画像形成装置及び画像読み取り方法の一実施例を示す図であり、図１は、本発明の画像読み取り装置、画像形成装置及び画像読み取り方法の一実施例を適用した画像形成装置１の正面概略構成図である。
【００１２】
図１において、画像形成装置１は、本体筐体２の上部に、画像読み取り部３が、本体筐体２内に、画像形成部４及び用紙供給部５等が配設されている。
【００１３】
画像読み取り部３は、原稿台１１、コンタクトガラス１２、読み取りユニット１３、搬送ローラ１４ａ、１５ａ、原稿有無検出センサ１６、レジストセンサ１７、圧板１８、搬送ローラ１４ｂ，１５ｂ、白板１９及び透過光源２０等を備えている。
【００１４】
原稿台１１とコンタクトガラス１２とは、同一平面上に配設されており、原稿台１１は、その上面である載置面１１ａに読み取り対象の原稿Ｇが、読み取り面を該載置面１１ａに向けた状態で載置される。
【００１５】
コンタクトガラス１２は、透明のガラス板等が用いられ、下方に読み取りユニット１３が配置されている。このコンタクトガラス１２を挟んで原稿Ｇの搬送方向前後に搬送ローラ１４ａ、１５ａと該搬送ローラ１４ａ、１５ａに対向する状態で、圧板１８に搬送ローラ１４ｂ、１５ｂが配設されている。
【００１６】
原稿有無検出センサ１６とレジストセンサ１７は、原稿搬送方向上流側の搬送ローラ１４ａを挟んで、配置されており、原稿有無検出センサ１６は、原稿台１１上にセットされた原稿Ｇを検出するセンサであって、例えば、透過型または反射型の光センサが用いられている。
【００１７】
搬送手段としての搬送ローラ１４ａ、１５ａ及び搬送ローラ１４ｂ、１５ｂは、例えば、搬送ローラ１４ａ、１５ａが図示しない搬送モータによって回転駆動されることで、搬送ローラ１４ａと搬送ローラ１４ｂが、原稿台１１上にセットされた原稿Ｇをコンタクトガラス１２上を搬送して、搬送ローラ１５ａと搬送ローラ１５ｂへと搬送し、搬送ローラ１５ａと搬送ローラ１５ｂが、送られてきた原稿Ｇをさらに搬送して、図示しない排紙台上に排出する。
【００１８】
レジストセンサ（原稿検出手段）１７は、上流側の搬送ローラ１４ａと搬送ローラ１４ｂによってコンタクトガラス１２上へと搬送される原稿Ｇの先端と後端を検出し、検出結果は、原稿Ｇの副走査方向の読み取り範囲を決定するのに使用される。
【００１９】
読み取りユニット（画像読み取り手段）１３は、例えば、ＣＩＳ（Contact Image Sensor：密着イメージセンサ）が用いられており、その光源（例えば、ＬＥＤ）からコンタクトガラス１２上を搬送される原稿Ｇに読み取り光を照射して、原稿Ｇで反射された画像情報を含む反射光をＣＣＤ(Charge Coupled Device）等の光電変換素子で光電変換してアナログの画像信号を出力する。
【００２０】
圧板１８は、コンタクトガラス１２の上部を覆う状態で開閉可能に配置されており、コンタクトガラス１２上を搬送される原稿Ｇをコンタクトガラス１２に密接させた状態で搬送させるガイドとして機能する。白板１９は、コンタクトガラス１２を挟んで読み取りユニット１３と対向する位置に配置されており、読み取りユニット１３による原稿Ｇの画像の読み取りにおける光学系に起因するシェーディング歪みを補正するための白基準を提供する。
【００２１】
原稿台１１は、その上面である載置面１１ａに、原稿Ｇが読み取り面を下向き（載置面１１ａに対向する向き）にして載置され、原稿台１１には、図２に示すように、少なくとも読み取りユニット１３による複数の読み取りサイズ幅（図２では、Ａ３とＡ４）に対応するサイズ幅位置を示す読み取り位置線（読み取り範囲明示手段）Ａ３、Ａ４が施されている。原稿台１１は、光透過性を有する部材で形成されており、下部に配設されている透過光源２０から原稿台１１方向に照射された透過光を透過させて原稿台１１上の原稿Ｇに照射させるとともに、該原稿Ｇの読み取り面に描かれている画像を、読み取り面の裏面（読み取り面とは反対面）に投影させて確認可能とし、かつ、原稿台１１に施されている読み取り位置線Ａ３、Ａ４を該裏面から確認可能とする。
【００２２】
透過光源２０は、図２に示すように、本実施例の画像形成装置１では、主走査方向両端側のそれぞれの読み取り位置線Ａ３、Ａ４が施されている位置の原稿台１１の載置面１１ａよりも下方にそれぞれ透過光源２０ａ、２０ｂが配設されているが、透過光源２０としては、上述のように、読み取り位置線Ａ３、Ａ４を原稿Ｇを通して確認可能であるとともに、少なくとも読み取り位置線Ａ３、Ａ４付近における原稿Ｇの読み取り面の画像を裏面から確認可能な光源であって、短時間では比較的低温を維持する光源であればよい。
【００２３】
なお、透過光源２０としては、ＬＥＤ（Light Emitting Diode）等を用いることができる。また、読み取り位置線Ａ３、Ａ４は、原稿台１１上だけでなく、圧板１８の原稿台１１側の端部付近上面にも施されており、原稿Ｇの位置調整を圧板１８に施されている読み取り位置線Ａ３、Ａ４を見て容易に合わせることができるようになっている。すなわち、読み取り位置線Ａ３、Ａ４は、原稿台１１の該原稿Ｇの載置範囲内と載置範囲外のうち少なくともいずれかにおいて明示する状態で施されていればよいが、本実施例では、原稿台１１と圧板１８の原稿台１１側にも施されている。
【００２４】
また、原稿台１１と透過光源２０の構成は、上記の構成に限るものではなく、例えば、原稿台１１の読み取り位置線Ａ３、Ａ４付近の載置面１１ａに凹部が形成されており、該凹部内にＬＥＤ等の短時間では比較的高温とはならない光源が透過光源２０として配置されていてもよい。この場合、凹部の載置面１１ａへの開口部が、開口している状態であってもよいし、その上面が載置面１１ａと一致するガラス等の透明部材で塞がれていてもよい。
【００２５】
圧板１８の上面には、図２及び図３に示すように、操作部（操作手段）６が設けられており、操作部６には、画像形成装置１の各種動作を指示操作する読み取りスタートキー等の各種キーが設けられているとともに、特に、調光キーＫ１、読み取りスタートキーＫ２、位置調整開始キーＫ３が設けられている。調光キーＫ１は、透過光源２０の光量の調節に使用されるキーであり、読み取りスタートキーＫ２は、原稿Ｇの位置調整が完了した後に、実際に原稿Ｇの読み取り面の読み取りを開始させるのに使用されるキーである。位置調整開始キーＫ３は、原稿台１１上の原稿Ｇの位置調整を開始する際に操作されるキーであり、画像形成装置１は、位置調整開始キーＫ３が操作されると、透過光源２０を点灯させる。
【００２６】
すなわち、画像形成装置１は、画像読み取り部３の読み取りユニット１３で原稿Ｇの画像を読み取る前に、読み取り面を下にして原稿Ｇのセットされる原稿台１１が、原稿台１１の下方に配設されている透過光源２０からの透過光を原稿Ｇの読み取り面に照射させる構成となっており、該透過光が、該原稿Ｇの読み取り面の画像を該読み取り面とは反対側の面に投影させるとともに、原稿台１１から圧板１８に亘って施されている読み取り位置線Ａ３、Ａ４を該原稿Ｇの読み取り面とは反対面に投影させる。したがって、ユーザは、画像形成装置１に原稿Ｇをセットする際に、透過光源２０によって透過される読み取り面の画像と読み取り位置線Ａ３、Ａ４及び原稿Ｇから外れた位置に施されている読み取り線Ａ３、Ａ４を見て、原稿Ｇの読み取り対象領域を、読み取りユニット１３の読み取り範囲に容易にかつ適切に位置合わせすることができる。
【００２７】
そして、給紙部５は、複数枚の用紙Ｐを収納可能な給紙トレイ３１、給紙トレイ３１内の用紙Ｐのうち最上段の用紙Ｐを１枚ずつ送り出す給紙ローラ３２、複数の搬送ローラからなる用紙搬送部３３及びレジストローラ３４等を備えており、給紙トレイ３１内の用紙Ｐを給紙ローラ３２によって１枚ずつ用紙搬送部３３に送り出して、用紙搬送部３３によってレジストローラ３４へ搬送する。レジストローラ３４は、送り出されてきた用紙Ｐの搬送を一旦停止させて、画像形成部４の画像形成タイミングに合わせて画像形成部４に用紙Ｐを搬送する。
【００２８】
画像形成部（画像形成手段）４は、図１中時計方向に回転駆動される感光体４１の周囲に、帯電部４２、光書き込み部４３、現像部４４、転写ローラ４５、図示しないクリーニング部や除電部等が配設されているとともに、用紙搬送部４６、定着部４７及び排紙ローラ４８等を備えており、電子写真方式で画像を用紙Ｐに形成する。なお、画像形成部４は、その画像形成方式を、本実施例では、電子写真方式としているが、電子写真方式に限るものではなく、例えば、インク噴射方式等であってもよい。
【００２９】
画像形成部４は、回転駆動される感光体４１を、帯電部４２で一様に帯電させた後、光書き込み部４３で、画像データに基づいて変調されたレーザ光を感光体４１に照射して感光体４１上に静電潜像を形成する。画像形成部４は、静電潜像の形成された感光体４１に現像部４４でトナーを付与することで現像してトナー画像を形成し、感光体４１上のトナー画像を、給紙部５から感光体４１と転写ローラ４５との間に搬送されてきた用紙Ｐに、転写ローラ４５によって転写して、トナー画像の転写の完了した用紙Ｐを搬送部４６によって定着部４７に搬送する。画像形成部４は、トナー画像の転写の完了した感光体４１をさらに回転させて、クリーニング部で感光体４１上に残留する残留トナーを除去し、除電部で除電した後、再度、帯電部４２で一様に帯電させて、次の画像形成に供する。
【００３０】
画像形成部４は、定着部４７に送った用紙Ｐを、定着部４７で、加熱しつつ加圧して用紙Ｐ上のトナー画像を用紙Ｐに定着させ、定着の完了した用紙Ｐを排紙ローラ４８によって本体筐体２の側面に取り付けられている排紙トレイ４９上に排出する。
【００３１】
なお、画像形成装置１は、図１には図示しないが、画像形成装置１の全体の動作を制御する制御部を備え、制御部（光源制御手段）は、通常、プログラムやシステムデータを格納するＲＯＭ（Read Only Memory）、ＲＡＭ（Random Access Memory）及びＲＯＭ内のプログラムに基づいてＲＡＭをワークメモリとして利用して画像形成装置１の各部を制御して、画像形成装置１としての基本動作及び本発明の画像読み取り方法を実行するＣＰＵ（Central Processing Unit ）等を備えている。
【００３２】
ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の画像読み取り方法を実行する画像読み取りプログラムを読み込んでＲＯＭやハードディスク等に導入することで、後述する原稿Ｇの読み取り範囲の画像を読み取り位置に合わせて画像の読み取りを行う画像形成装置として構築されている。この画像読み取りプログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３３】
次に、本実施例の作用を説明する。本実施例の画像形成装置１は、読み取りユニット１３によって原稿Ｇの画像を読み取る前に、原稿Ｇの読み取り面の読み取り対象領域を簡単かつ正確に、読み取りユニット１３の読み取り範囲に原稿台１１上で調整することができる。
【００３４】
すなわち、画像形成装置１は、図４に示すように、原稿Ｇが原稿台１１にセットされる原稿載置処理が行われて位置調整開始キーＫ３が操作されると、透過光源２０を点灯させ、また、調光キーＫ１が操作されると、透過光源２０の光量を変更調整して、ユーザによる原稿Ｇの位置調整を可能とする原稿位置調整モードに入る透過光照射処理を行なう（ステップＳ１０１）。
【００３５】
すなわち、ユーザは、読み取らせたい原稿Ｇの読み取らせたい面を原稿台１１に向けて原稿Ｇをセットし、位置調整開始キーＫ３を操作して透過光源２０を点灯察せ、また、調光キーＫ１を操作して透過光源２０の光量を調整して、原稿台１１及び原稿Ｇを透過した透過光によって原稿Ｇの裏面に投影される原稿Ｇの読み取り面の画像及び読み取り位置線Ａ３、Ａ４に基づいて、読み取らせたい面の読み取り対象領域が読み取り位置線Ａ３または読み取り位置線Ａ４の範囲内であって、読み取らせたい位置に画像がくるように原稿Ｇの位置調整を行なう位置調整処理が行われる。
【００３６】
ユーザは、例えば、図５に示すようなＡ３サイズの原稿Ｇの画像うち、破線で挟まれているＡ４幅領域が、読み取り対象領域である場合、この原稿Ｇの読み取り対象領域を原稿台１１及び圧板１８に施されている読み取り位置線Ａ４に合わせることで、原稿Ｇの位置調整を行なう。
【００３７】
そして、この原稿Ｇの位置調整時には、搬送ローラ１４ｂが、原稿Ｇとの隙間を開ける方向（図１、図３では、上方）に移動して待機している状態、すなわち、原稿Ｇが搬送ローラ１４ａと搬送ローラ１４ｂに挟まれていない状態となっており、原稿Ｇの位置調整を容易に行うことができる。
【００３８】
ユーザは、原稿Ｇの位置調整が完了すると、操作部６の読み取り幅サイズキー（例えば、Ａ３幅サイズキー、Ａ４幅サイズキー等）を操作した後に、読み取りスタートキーを操作して、画像形成装置１に原稿Ｇの読み取りを開始させる。
【００３９】
そして、画像形成装置１は、上述のように、原稿位置調整モードに入ると、予め設定されている所定時間が経過したかチェックし（ステップＳ１０２）、所定時間経過していないとき（ステップＳ１０２で、ＮＯのとき）には、読み取りスタートキーが操作されたかチェックする（ステップＳ１０３）。
【００４０】
ステップＳ１０３で、読み取りスタートキーが操作されていないとき（ステップＳ１０３で、ＮＯのとき）には、画像形成装置１は、ステップＳ１０２に戻って、所定時間経過したかのチェックから上記同様に繰り返し処理を行い（ステップＳ１０２、Ｓ１０３）、ステップＳ１０２で、読み取りスタートキーが操作されることなく、所定時間が経過すると、透過光源２０を消灯させて、処理を終了する（ステップＳ１０４）。この透過光源２０を消灯させるのは、原稿Ｇの置き忘れ等のときに消費電力を削減するとともに、消灯することで、ユーザの意識を原稿台１１に向けさせて原稿Ｇの置忘れを防止するためである。
【００４１】
ステップＳ１０２で、所定時間が経過することなく、ステップＳ１０３で、読み取りスタートキーが操作されると（ステップＳ１０３で、ＹＥＳのとき）、画像形成装置１は、搬送モータを駆動させて、搬送ローラ１４ａ、１４ｂ及び搬送ローラ１５ａ、１５ｂを回転駆動させて、原稿台１１上の原稿Ｇをコンタクトガラス１２上へ搬送を開始する搬送処理を置を行なう（ステップＳ１０５）。
【００４２】
画像形成装置１は、原稿Ｇの搬送を開始すると、レジストセンサ１７がオンするのを待って（ステップＳ１０６）、レジストセンサ１７がＯＮすると、透過光源２０を消灯させて（ステップＳ１０７）、読み取りユニット１３によりコンタクトガラス１２上を搬送される原稿Ｇの読み取り面の画像を読み取る画像読み取り処理を行なう（ステップＳ１０８）。すなわち、レジストセンサ１７がＯＮすると、透過光源２０をオフすることで、実際の原稿Ｇの読み取り時に透過光源２０からの光が読み取りユニット１３による原稿Ｇの画像読み取りに対して影響することを防止することができるとともに、レジストセンサ１７へ原稿Ｇが搬送されるまでの間は、透過光源２０が点灯しているので、読み取り対象領域の位置と読み取り位置線Ａ３、Ａ４とが合っているかを確認して、違っているときには、ストップキー等で原稿Ｇの読み取りを中断することができる。
【００４３】
画像形成装置１は、原稿Ｇの読み取りを完了すると、次の原稿Ｇがあるか否かを、原稿有無検出センサ１６の検出結果に基づいてチェックし（ステップＳ１０９）、次の原稿Ｇがあるとき（ステップＳ１０９で、ＹＥＳのとき）には、透過光源２０を点灯させて、次の原稿Ｇの位置調整を可能とするとともに、所定時間経過するか、読み取りスタートキーが操作されるかのチェックから上記同様に処理する（ステップＳ１０２〜Ｓ１１０）。
【００４４】
画像形成装置１は、１枚の原稿Ｇの読み取りが終了すると、搬送ローラ１４ａ、１４ｂの回転を停止させるとともに、搬送ローラ１４ｂを、原稿Ｇとの隙間を開ける方向（図１、図３では、上方）に動作する。したがって、次の原稿Ｇがある場合にも、原稿Ｇの位置調整時に原稿Ｇが搬送ローラ１４ａと搬送ローラ１４ｂに挟まれていない状態となって、原稿Ｇの位置調整を容易に行うことができる。
【００４５】
ステップＳ１０９で、次の原稿Ｇがないとき（ステップＳ１０９で、ＮＯのとき）には、画像形成装置１は、画像読み取り処理を終了する。
【００４６】
なお、上記説明においては、Ａ３幅サイズとＡ４幅サイズの読み取り位置線Ａ３、Ａ４が施されていて、Ａ３サイズ幅とＡ４サイズ幅の読み取り幅の切り替えを行なって、原稿Ｇの読み取り面の意図する領域の画像を意図するサイズ幅で読み取りを行わせているが、読み取り幅としては、Ａ３とＡ４に限るものではなく、これらの幅以外の幅サイズについても、同様に適用することができる。さらに、上記説明では、主走査方向についてのみ、読み取り対象領域を読み取り範囲に合わせる場合について説明したが、主走査方向のみに限るものではなく、副走査方向についても同様に適用することができる。
【００４７】
このように、本実施例の画像形成装置１は、原稿Ｇが、その読み取り面が下を向いた状態で載置される載置面１１ａを有する原稿台１１と、原稿台１１の該載置面１１ａに対向する原稿Ｇの前記読み取り面に透過光を照射する透過光源２０と、原稿Ｇの読み取り面の画像を読み取る読み取りユニット（画像読み取り手段）１３と、原稿Ｇの読み取りユニット１３による読み取り範囲を、原稿台１１の該原稿Ｇの載置範囲内と載置範囲外のうち少なくともいずれかにおいて明示して、前記透過光が該原稿Ｇに照射されて該原稿Ｇの読み取り面とは反対面に投影される該読み取り面の画像に基づいて読み取りユニット１３に読み取らせる読み取り対象領域を、調整可能とする読み取り位置線（読み取り範囲明示手段）Ａ３、Ａ４と、少なくとも原稿台１１上に載置されている原稿Ｇの読み取りの開始が指示操作される操作部（操作手段）６と、操作部６で読み取り開始の指示操作が行われると、原稿台１１上の原稿Ｇを読み取りユニット１３へ搬送する搬送ローラ（搬送手段）１４ａ、１４ｂ、１５ａ、１５ｂと、を備えている。
【００４８】
したがって、原稿Ｇの読み取り対象領域を透過光によって読み取り対象面とは反対面に投影される映像を見て読み取り位置線Ａ３、Ａ４に正確に合わせることができ、原稿Ｇの読み取り領域を正確かつ容易に設定して、意図する画像領域を読み取らせることができる。
【００４９】
また、本実施例の画像形成装置１は、原稿Ｇが、その読み取り面が下を向いた状態で原稿台１１の載置面１１ａ上に載置される原稿載置処理ステップと、原稿台１１の載置面１１ａに対向する原稿Ｇの読み取り面に透過光源２０から透過光を照射する透過光照射処理ステップと、原稿Ｇの読み取り面の画像を読み取りユニット１３で読み取る画像読み取り処理ステップと、原稿Ｇの前記画像読み取り処理ステップでの読み取り範囲を、原稿台１１の該原稿Ｇの載置範囲内と載置範囲外のうち少なくともいずれかにおいて読み取り位置線Ａ３、Ａ４で明示して、透過光が該原稿Ｇに照射されて該原稿Ｇの読み取り面とは反対面に投影される該読み取り面の画像に基づいて該画像読み取り処理ステップで読み取らせる読み取り対象領域を、調整可能とする読み取り範囲明示処理ステップと、原稿台１１上に載置されている原稿Ｇの読み取りの開始が指示操作される操作処理ステップと、前記操作処理ステップで読み取り開始の指示操作が行われると、原稿台１１上の原稿Ｇを読み取りユニット１３へ搬送する搬送処理ステップと、を有する画像読み取り方法を実行している。
【００５０】
したがって、原稿Ｇの読み取り対象領域を透過光によって読み取り対象面とは反対面に投影される映像を見て読み取り位置線Ａ３、Ａ４に正確に合わせることができ、原稿Ｇの読み取り領域を正確かつ容易に設定して、意図する画像領域を読み取らせることができる。
【００５１】
さらに、本実施例の画像形成装置１は、前記読み取り範囲明示手段である読み取り位置線Ａ３、Ａ４が、少なくとも読み取りユニット１３による原稿Ｇの主走査方向における読み取り範囲を明示している。
【００５２】
したがって、読み取り対象領域を主走査方向のみ設定したい場合に、簡単な構成で正確に読み取り対象領域を読み取り範囲に合わせることができる。
【００５３】
また、本実施例の画像形成装置１は、搬送ローラ１４ａ、１４ｂと搬送ローラ１５ａ、１５ｂによって読み取りユニット１３へ搬送される原稿Ｇを検出するレジストセンサ（原稿検出手段）１７と、レジストセンサ１７による原稿Ｇの先端の検出結果に基づいて、少なくとも読み取りユニット１３が該原稿Ｇの画像の読み取りを開始する前に、透過光源２０を消灯させる制御部（光源制御手段）と、を備えている。
【００５４】
したがって、透過光源２０の透過光が読み取りユニット１３による原稿Ｇの読み取り動作に影響することを防止して画像品質を向上させることができるとともに、読み取りが開始される前まで、透過光源２０によって読み取り対象領域が読み取り範囲に適切に入っているかどう確認して、読み取りの継続と停止を操作することができ、読み取り画像の画像品質の劣化を防止することができるとともに、利用性を向上させることができる。
【００５５】
さらに、本実施例の画像形成装置１は、原稿台１１が、透過光源２０を収納する凹部が載置面１１ａに形成されており、該凹部の該載置面１１ａへの開口部が、開口状態、または、該載置面と上面が一致する所定の透明部材で覆われている。
【００５６】
したがって、原稿Ｇの搬送を阻害することなく、原稿台１１上の原稿Ｇに読み取り範囲を適切に明示する状態で、透過光源２０を設置することができる。
【００５７】
また、本実施例の画像形成装置１は、搬送ローラ１４ａ、１４ｂ及び搬送ローラ１５ａ、１５ｂが、操作部６で読み取り開始の指示操作が行われるまで、原稿台１１上の原稿Ｇを位置調整可能な状態とし、該指示操作が行われると、該原稿Ｇを面方向で挟み込んで該原稿Ｇの搬送を開始する。
【００５８】
したがって、原稿台１１上に原稿Ｇを載置してから正確にかつ容易に位置調整することができ、原稿Ｇの読み取り領域を正確かつ容易に設定して、意図する画像領域を読み取らせることができる。
【００５９】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００６０】
１  画像形成装置
２  本体筐体
３  画像読み取り部
４  画像形成部
５  用紙供給部
１１  原稿台
１２  コンタクトガラス
１３  読み取りユニット
１４ａ、１５ａ  搬送ローラ
１６  原稿有無検出センサ
１７  レジストセンサ
１８  圧板
１４ｂ、１５ｂ  搬送ローラ
１７  レジストセンサ
１８  圧板
１９  白板
２０  透過光源
２０ａ、２０ｂ  透過光源
Ｇ  原稿
Ａ３、Ａ４  読み取り位置線
３１  給紙トレイ
Ｐ  用紙
３２  給紙ローラ
３３  用紙搬送部
３４  レジストローラ
４１  感光体
４２  帯電部
４３  光書き込み部
４４  現像部
４５  転写ローラ
４６  用紙搬送部
４７  定着部
４８  排紙ローラ
４９  排紙トレイ
【先行技術文献】
【特許文献】
【００６１】
【特許文献１】特開平１０−０７５３２９号公報
【図１】
2013126126.tif 000003
【図２】
2013126126.tif 000004
【図３】
2013126126.tif 000005
【図４】
2013126126.tif 000006
【図５】
2013126126.tif 000007